(57)【要約】【課題】  データ処理装置ＭＦＤとクライアント端末装置ＭＴ１とのアドホック接続を一時的に可能としてネットワークセキュリティを保持し、しかも、アドホック接続がインフラストラクチャ通信を無用に阻害してしまうことを回避する。【解決手段】  データ処理装置ＭＦＤが、インフラ接続を行うインフラモードと、端末装置ＭＴ１からの要求に応じてアドホック接続を行うアドホック用モードとを交互に切替え、インフラ接続でのトラフィック量或いはアドホック接続でのトラフィック量に応じて、アドホック接続を行うモード時間の配分を調整し、アドホック接続の必要性に応じたモード配分とする。【選択図】  図３
2006173946.tif 000002
【特許請求の範囲】
【請求項１】
無線通信機能を有する端末装置とドキュメント処理を行うデータ処理装置との間で、ドキュメント処理に係るジョブを無線通信する無線通信システムであって、
データ処理装置は、無線基地局を介してネットワーク通信するインフラストラクチャモードと当該端末装置と直接無線通信するアドホックモード通信可能なアドホック用モードとを交互に切替える切替手段と、通信状況を検出する検出手段と、検出された通信状況に応じて当該アドホック用モードの時間配分を調整する配分調整手段と、を有することを特徴とする無線通信システム。
【請求項２】
請求項１に記載の無線通信システムにおいて、
前記検出手段はインフラストラクチャモードでの通信量を検出し、
前記配分調整手段はインフラストラクチャモードでの通信量が増加するに応じてアドホック用モードの時間配分を減少させることを特徴とする無線通信システム。
【請求項３】
請求項１に記載の無線通信システムにおいて、
前記検出手段はアドホックモードでの通信量を検出し、
前記配分調整手段はアドホックモードでの通信量が増加するに応じてアドホック用モードの時間配分を増加させることを特徴とする無線通信システム。
【請求項４】
請求項１乃至請求項３のいずれか１項に記載の無線通信システムにおいて、
前記アドホック用モードでは、端末装置が発信するビーコン信号の態様の変更により表される当該端末装置からの要求に応じて、アドホックモードによる通信がなされることを特徴とする無線通信システム。
【請求項５】
請求項１乃至請求項４のいずれか１項に記載の無線通信システムにおいて、
データ処理装置がブロードキャスト発信するビーコン信号により前記アドホックモード通信に必要な設定情報を端末装置へ通知することを特徴とする無線通信システム。
【請求項６】
請求項１乃至請求項５のいずれか１項に記載の無線通信システムにおいて、
前記切替手段は、端末装置からのアドホック接続要求が所定時間ないと、アドホック用モードをインフラストラクチャモードに切替えることを特徴とする無線通信システム。
【請求項７】
請求項１乃至請求項６のいずれか１項に記載の無線通信システムにおいて、
周辺機器からビーコン信号を受信して当該周波数帯を判定し、前記アドホックモード通信を当該周波数帯とは異なる周波数帯で行うことを特徴とする無線通信システム。
【請求項８】
無線通信機能を有する端末装置とドキュメント処理に係るジョブを無線通信して、ドキュメント処理を行うデータ処理装置であって、
無線基地局を介してネットワーク通信するインフラストラクチャモードと当該端末装置と直接無線通信するアドホックモード通信可能なアドホック用モードとを交互に切替える切替手段と、通信状況を検出する検出手段と、検出された通信状況に応じて当該アドホック用モードの時間配分を調整する配分調整手段と、を有することを特徴とするデータ処理装置。
【請求項９】
請求項８に記載のデータ処理装置において、
当該データ処理装置の通信量を検出する検出手段を更に有し、
前記配分調整手段は通信量に応じてアドホック用モードの時間配分を変更することを特徴とする無線通信システム。
【請求項１０】
無線通信機能を有する端末装置とドキュメント処理に係るジョブを無線通信して、ドキュメント処理を行うデータ処理装置をコンピュータにより構成するプログラムであって、
無線基地局を介してネットワーク通信するインフラストラクチャモードと当該端末装置と直接無線通信するアドホックモード通信可能なアドホック用モードとを交互に切替える切替手段と、通信状況を検出する検出手段と、検出された通信状況に応じて当該アドホック用モードの時間配分を調整する配分調整手段と、をコンピュータに構成することを特徴とするプログラム。
【請求項１１】
無線通信機能を有する端末装置とドキュメント処理を行うデータ処理装置とがドキュメント処理に係るジョブを無線通信する無線通信方法であって、
データ処理装置が、無線基地局を介してネットワーク通信するインフラストラクチャモードと当該端末装置と直接無線通信するアドホックモード通信可能なアドホック用モードとを交互に切替え、更に、通信状況を検出して当該アドホック用モードの時間配分を調整し、
端末装置がアドホックモード通信を要求すると、
前記データ処理装置が、当該要求に応じて、前記アドホック用モードにおいて当該端末装置とアドホックモード通信を行うことを特徴とする無線通信方法。
【発明の詳細な説明】
【技術分野】
【０００１】
本発明は、互いに無線通信機能を備えた端末装置とドキュメントデータ処理装置との間で行う無線通信技術に関し、特に、端末装置とデータ処理装置との間で無線ＬＡＮの基地局（アクセスポイント）を介することなく直接無線通信するアドホックモードの時間配分を調整する技術に関する。
【背景技術】
【０００２】
近年、有線ＬＡＮを用いたネットワーク通信に対して、無線通信の高速化や、規格化による相互接続性の改善等により、無線ＬＡＮによるネットワーク環境が拡大しつつある。また、IEEE802.11系や、Bluetoothなどの近距離無線通信を用いた装置間の直接的なデータ通信も実用化されており、無線ＬＡＮによるネットワークとは別に装置間で一対一の個別的な無線通信もなされている。
【０００３】
ドキュメント処理を行うドキュメントデータ処理装置には、プリンタ装置、スキャナ装置、プリンタやスキャナ等の機能を複合的に備えた複合機等があるが、このようなドキュメントデータ処理装置に無線通信機能を搭載することで、オフィス内だけではなく、店舗、公共スペース等において、ＰＣ、ＰＤＡ、携帯電話機等といった無線通信機能を備えた端末装置とワイヤレスで接続し、当該端末装置とのジョブを無線通信することでプリント等の処理を行うことが可能である。
【０００４】
無線ＬＡＮにおける上記IEEE802.11系無線通信は、無線ＬＡＮ基地局（アクセスポイント：ＡＰ）を経由して配下の装置（ＰＣ等の端末装置や、データ処理装置）をネットワークに接続するインフラストラクチャモードと、装置同士で直接無線接続するアドホックモードとがサポートされている。
例えば、図５に示すように、インフラストラクチャモードでは、クライアントモバイル端末ＭＴ２、ＭＴ３、複合機ＭＦＤが互いにアクセスポイントＡＰを経由してジョブを無線通信し、また、アドホックモードでは、クライアントモバイル端末ＭＴ１と複合機ＭＦＤがアクセスポイントを介さずにジョブを直接無線通信する。なお、図中で、サービスセットは、アクセスポイント配下の装置をグループ化した単位である。
【０００５】
ここで、通常の無線ＬＡＮシステムは、アクセスポイントＡＰを経由して無線ＬＡＮに接続することを前提としているため、複合機ＭＦＤ等のデータ処理装置もインフラストラクチャモードでネットワーク上に置かれている。
このため、例えば、外出先のオフィスでクライアント端末装置から複合機等のデータ処理装置にプリントジョブを依頼する場合は、先ずクライアント端末装置をアクセスポイントＡＰに無線接続し、そのネットワーク上にあるデータ処理装置にジョブを送信して処理を依頼することが必要となる。
【０００６】
しかしながら、アクセスポイントに接続するには、アクセスポイントの検索、アクセスポイントのサービスセットＩＤやＭＡＣアドレス情報の取得、ネットワーク接続のためのＩＰアドレスの取得が必要となり、クライアント端末装置での煩雑な操作や処理が必要となる。
また、セキュリティ対策から無線接続時の認証や暗号化処理を行うこともあるが、例えば認証を行う場合は、特定のユーザしか接続が許可されないため、ネットワーク接続するためには事前にユーザが使用するクライアント端末装置を認証登録する必要があるり、操作が煩雑である。また、暗号化処理された場合では、暗号鍵情報が必要となるため、アクセスポイントＡＰに接続するための暗号鍵情報を予め設定しておく必要があり、特に、初めてのアクセスポイントに接続仕様とする時には設定操作が容易ではない。
【０００７】
また、アクセスポイントＡＰに接続しても、ジョブ処理に適したデータ処理装置を検索する必要があり、例えば、ユーザが目の前のプリンタを用いてプリントジョブを行いたい場合でも、当該プリンタのＩＰアドレスやホスト名等の情報を所得或いは予め把握しておく必要がある。
このような接続の煩わしさを解消する方法として、クライアント端末装置をプリンタ等のデータ処理装置に直接接続するアドホック接続を用いる方法が考えられる。
【０００８】
しかしながら、通常、プリンタ等のデータ処理装置はアクセスポイントＡＰの管理下に置かれ、インフラストラクチャモードで動作して、ＡＰ内のグループ（サービスセット）内で共有されるため、アドホック接続に切り替えた場合には、インフラストラクチャ接続が機能しなくなる問題がある。このため、アドホック接続を行うには、ユーザインタフェース（ＵＩ）等により、ユーザがデータ処理装置の無線設定操作を行ってアドホック接続とインフラストラクチャ接続とのモード切替えを行う必要がある。
また、インフラストラクチャモードのステーションとして動作しているデータ処理装置では検索用のビーコン出力を行っていないため、クライアント端末装置の検索機能を利用できず、クライアント端末装置がアドホック接続しようとしてもインフラストラクチャモードで動作しているデータ処理装置を直ちに検出することができないという問題もある。
【０００９】
ここに、相手端末がベースネットワーク又はアドホックネットワークのいずれの無線通信端末であるかをキャッシュテーブルに保持し、この情報を変更処理することにより、相手端末がインフラモードとアドホックモードとのいずれで通信可能であるかを知る必要なく無線通信端末間の通信を可能にする発明が提案されている（特許文献１参照。）。
また、インフラモードで動作中の無線通信端末と基地局（アクセスポイント）がビーコンインターバルに第１の通信チャネルを用いた通信を行い、更に、基地局に属するインフラモードで動作中の無線通信端末同士が第１の通信チャネルを維持しつつ、第２の通信チャネルを用いてビーコンの空き時間にアドホックモード通信を行うことにより、通信チャネルの帯域を確保する発明が提案されている（特許文献２参照。）。
【特許文献１】特開平０７―３０３１０５号公報。
【特許文献２】特開２００３―２４９９３９号公報。
【発明の開示】
【発明が解決しようとする課題】
【００１０】
本発明は、上記従来の事情に鑑みなされたもので、インフラストラクチャ接続でネットワーク上に共有されているデータ処理装置であっても、アドホック接続を一時的に可能とすることで、ネットワークセキュリティを保持しつつ、クライアント端末装置が容易にデータ処理装置に無線接続してジョブを依頼することができる無線通信環境を実現することを目的としている。
【課題を解決するための手段】
【００１１】
本発明は、無線通信機能を有する端末装置とドキュメント処理を行うデータ処理装置との間でドキュメント処理に係るジョブを無線通信する無線通信システム、このような無線通信システムを構成するデータ処理装置、このようなデータ処理装置をコンピュータにより構成するプログラム、このような無線通信システムにより実施される方法である。
【００１２】
ここで、クライアントとなる端末装置としては、パーソナルコンピュータやモバイル機器（例えば、ＰＤＡ、携帯電話機）等のように無線通信機能を有した情報処理機器が用いられる。
また、ジョブを実行するデータ処理装置としては、プリンタ装置、スキャナ装置、ファクシミリ装置、コピー装置、これら機能を複合的に備えた複合機等の無線通信機能を有したドキュメント処理装置が用いられる。
【００１３】
本発明の典型的な態様である無線通信システムでは、データ処理装置が、無線基地局を介してネットワーク通信するインフラストラクチャモードとクライアント端末装置と直接無線通信するアドホックモード通信可能なアドホック用モードとを交互に切替え、通信状況を検出して、検出された通信状況に応じて当該アドホック用モードの時間配分を調整する。そして、端末装置がアドホックモード通信を要求すると、データ処理装置は、当該要求に応じてアドホック用モードにおいて当該端末装置とアドホックモード通信を行う。
【００１４】
したがって、アドホック用モード期間において、クライアント端末装置はデータ処理装置とアドホックモード通信をすることができ、例えば、クライアント端末装置のユーザが目の前のプリンタでプリント処理を行いたい場合には、ネットワーク通信に係る煩雑な操作や処理をすることなく、しかも、ネットワークのセキュリティを乱すことなく、容易にドキュメント処理を実行させることができる。
【００１５】
ここで、アドホック用モードはアドホックモード通信しか行わない期間として設定することもできるが、インフラストラクチャモード通信とアドホックモード通信との両方の通信が可能で、端末装置からアドホックモード通信要求があった場合にはアドホックモード通信を行う期間とするのが好ましい。
また、アドホック用モードの時間配分調整を行うための通信状況は、例えば、インフラストラクチャモードでの通信量を検出して、当該通信量が増加するに応じてアドホック用モードの時間配分を減少させる、或いは、アドホックモードでの通信量を検出して、当該通信量が増加するに応じてアドホック用モードの時間配分を増加させるようにして、アドホックモード通信の実際の必要性に対応してアドホック用モードの時間配分が調整されるようにする。
【００１６】
また、端末装置によるアドホックモード通信の要求は、特定の要求信号をデータ処理装置へ発信することでも可能であるが、無線ＬＡＮの端末として当該端末装置が発信している検索用のビーコン信号の発信間隔を通常と異ならせる等の方法でビーコン信号の態様を変更することにより、当該要求であることを表すようにしてもよい。
また、データ処理装置は特定の通知信号を発信することでアドホック接続に必要な設定情報を端末装置へ通知することも可能であるが、上記と同様に、無線ＬＡＮの端末として当該データ処理装置がブロードキャスト発信している検索用のビーコン信号に当該設定情報を含ませて通知するようにしてもよい。
【発明の効果】
【００１７】
本発明によると、データ処理装置がインフラストラクチャモードとアドホック用モードとを交互に切替えて設定し、当該アドホック用モードの時間配分を通信状況に応じて調整するようにしたため、インフラストラクチャ接続でネットワーク上に共有されているデータ処理装置であっても、クライアント端末装置とのアドホック接続を一時的に可能とすることができ、ネットワークセキュリティを保持しつつ、クライアント端末装置が容易にデータ処理装置に無線接続してジョブを依頼することができる。しかも、アドホック用モード時間がアドホックモード通信の実際の必要性に応じて調整されるため、インフラストラクチャモード通信を無用に阻害してしまうことを回避することができ、アクセスポイント配下の装置であるデータ処理装置のネットワーク通信を無用に阻害してしまうことを防止することができる。
【発明を実施するための最良の形態】
【００１８】
本発明を一実施形態に基づいて具体的に説明する。
なお、図５に示すように、無線通信機能を備えてアクセスポイントＡＰとインフラストラクチャモード通信を行う複合機ＭＦＤに対して、無線通信機能を備えたモバイルＰＣである端末装置ＭＴ１がアドホックモード通信をする例を説明する。
【００１９】
端末装置ＭＴ１は、ドキュメントデータを保持するメモリ４等のモバイル機器が一般に備える機能を有しており、特に、複合機ＭＦＤとアドホックモード無線通信を行うための無線通信手段１、アドホックモード通信のための処理を行う通信制御手段２、ユーザからの指示を受け付けるユーザインタフェース（ＵＩ）３を有している。
【００２０】
端末装置ＭＴ１は、ユーザインタフェース３からの操作入力に応じて、メモリ４に保持するドキュメントの画像をユーザインタフェース画面に表示したり、当該ドキュメントのデータを複合機ＭＦＤに無線送信してプリントジョブを依頼するといった処理を行う。
また、端末装置ＭＴ１の通信制御部２は、ビーコン信号を無線通信手段１から発信し、アドホックモード通信を複合機ＭＦＤに要求するときには当該ビーコン信号の発信間隔を通常の間隔と異ならせた態様とし、また、複合機ＭＦＤから発信されたビーコン信号により後述するようにアドホックモード通信に必要な設定を行う。
【００２１】
複合機ＭＦＤは、プリント処理やスキャナ処理等の複合機が一般に備えるドキュメントデータの処理機能１０を有しており、特に、アクセスポイントＡＰとのインフラストラクチャモード無線通信及び端末装置ＭＴ１とのアドホックモード無線通信を行うための無線通信手段１１、インフラストラクチャモード通信及びアドホックモード通信のための処理を行う通信制御手段１２を有している。
【００２２】
更に、通信制御手段１２は、端末装置ＭＴ１から受信したビーコン信号によりアドホック通信要求を認識しまた自ら発信するビーコン信号によりアドホック通信の設定に必要な情報の通知等を行うビーコン処理手段１３、無線通信手段１１による通信モードをインフラストラクチャモードとアドホック用モードとを交互に切替えるモード切替手段１４、アドホックモード通信に用いるＩＰアドレスを提供するＤＨＣＰ手段１５、アドホックモード通信でのトラフィック量又はインフラストラクチャモード通信でのトラフィック量を検出するトラフィック監視手段１６、モード切替手段１４によるアドホック用モードの時間配分をトラフィック監視手段１６による検出結果に応じて調整する配分調整手段１７を有している。
【００２３】
複合機ＭＦＤは、無線通信手段１１により、インフラストラクチャ通信モードではアクセスポイントＡＰを経由するインフラストラクチャ無線通信を行い、アドホック用モードでは、端末装置ＭＴ１からの要求がなければ当該インフラストラクチャ無線通信を行う一方、端末装置ＭＴ１からの要求があれば当該要求に応じて端末装置ＭＴ１と直接通信するアドホック無線通信をする。
【００２４】
また、複合機ＭＦＤは、通信トラフィック量に応じてアドホック用モードの時間配分を調整し、例えば、インフラストラクチャモードとアドホック用モードとを１：１の時間配分で交互に切替えていたものを、アドホックモード通信での受信パケット量が増加するに応じて１：１．５に変更したり、或いは、インフラストラクチャモード通信での受信パケット量が増加するに応じて１．５：１に変更することを行い、必要に応じたアドホックモード期間を確保するとともにアドホックモード通信が必要でない時にはインフラストラクチャ通信が通常通り行えるようにしている。
【００２５】
ここで、端末装置ＭＴ１からの要求がなければインフラストラクチャ無線通信を行うアドホック用モードでは、アドホック用モードの時間配分の調整は、上記のようにインフラストラクチャモードとアドホック用モードとの時間配分を調整する他に、アドホック用モードにおけるアドホックモード無線通信を行う時間配分を調整することで行ってもよい。
【００２６】
また、モード切替手段１４は、端末装置ＭＴ１とのアドホックモード通信によるジョブの通信が終了状態となると、アドホック用モードをインフラストラクチャモードに切替えて通常のアクセスポイントＡＰを介したネットワーク通信を行うようにする。
また、無線通信手段１１は、周辺機器からもビーコン信号を受信しており、端末装置ＭＴ１とアドホックモード通信を行う場合には、当該通信に周辺機器が用いている周波数帯とは異なる周波数帯で行う。
【００２７】
図２には通信トラフィック量に応じた時間配分の例を示してあり、この例では図示の特性でインフラストラクチャ通信のトラフィック量が減少するに応じてアドホック用モードの（または、アドホックモード通信を行う）時間配分を増加させている。なお、アドホック用モード（または、アドホックモード通信を行う）の時間配分に最大（ＭＡＸ）から最小（ＭＩＮ）の可変範囲を設定しており、アドホック用モード（または、アドホックモード通信を行う）が過大となってインフラストラクチャ通信が阻害されないようにしているとともに、アドホック用モード（または、アドホックモード通信を行う）が過小となってアドホックモード通信が阻害されないようにしている。
なお、アドホックモード通信のトラフィック量に基づく場合は、アドホックモード通信のトラフィック量が増加するに応じてアドホック用モード（または、アドホックモード通信を行う）の時間配分を増加させればよい。
【００２８】
ここで、本例では、複合機ＭＦＤの各機能手段１２〜１７は当該複合機のコンピュータハードウエアにより本発明に係るプログラムを実行することにより構成しているが、これら機能手段を専用の回路構成としてもよい。
【００２９】
次に、上記構成の無線通信システムによる処理を説明する。
図３には、本発明の一例に係る処理手順を示してある。
複合機ＭＦＤは、インフラストラクチャ接続を行うインフラモードサイクルと、インフラストラクチャ接続とアドホック接続とのいずれかを行うアドホック用モードサイクルで動作しており、端末装置とアドホック接続を行う必要がない通常時はインフラストラクチャ接続がなされるように動作している。
【００３０】
複合機ＭＦＤは、インフラモードサイクルにおいてアドホック用モードに切り替わる時に検索用のビーコン信号をブロードキャストで発信する。このビーコン信号にはアドホック接続に必要な設定情報（サービスセットＩＤ、使用周波数チャンネル等）が含まれている。
アドホック接続を要求する端末装置ＭＴ１が当該検索用ビーコン信号を受信して接続設定情報を抽出し、無線通信手段１の設定を行い、複合機ＭＦＤにアドホック接続要求を無線送信することで、アドホック接続処理がなされる。
【００３１】
すなわち、複合機ＭＦＤは、アドホック接続要求信号を検出すると、図４で詳述するようなアドホック接続のための設定処理を行い、端末装置ＭＴ１と一対一の直接無線通信（アドホックモードでの接続）を行って、当該端末装置ＭＴ１から送信されたドキュメントデータをプリント出力する等のドキュメント処理を行う。
なお、複合機ＭＦＤは、アドホック用モードに移行した後、他のアドホック接続要求信号が所定時間ないとインフラモードサイクルに再度移行する。
【００３２】
ここで、本例では、アドホック用モードサイクルにおけるアドホックモードの時間配分を、インフラモードにおけるトラフィック量に応じて調整している。
例えば、インフラモードでのトラフィック量とアドホック接続時間の関係を図２に示したように予め設定しておき、インフラモードでのトラフィック量が低下している場合には、アドホック接続時間を増加させる。一方、例えば、通常はインフラモードを２、アドホックモードが１の割合である場合に、インフラモードでの通信パケット数が多くなると、比率を４：１などにインフラモードの時間配分が増加するように調整する。
【００３３】
図４には、本発明の他の一例に係る処理手順を示してある。
通常、複合機ＭＦＤはインフラモードで動作しており、一定時間毎にアドホック接続要求信号をスキャンしている。そして、複合機ＭＦＤはアドホック接続要求信号（起動ビーコン）を検出すると、アドホック用モードに切り替わる。
アドホック接続要求信号は、複合機ＭＦＤのみが検出可能なフォーマットを使用して、他の装置との混同を防止している。この方法として、本例では、端末装置ＭＴ１が、通常の検出用ビーコン信号を複合機ＭＦＤとの間で予め取り決めた態様に変更して、アドホック接続要求信号としている。例えば、通常のビーコン出力間隔が１００ｍｓｅｃ毎に出力される場合、この出力間隔を端末装置ＭＴ１と複合機ＭＦＤとの間で予め取り決めたパターンに変更する。
【００３４】
ここで、複合機ＭＦＤは、アドホック接続要求信号（起動ビーコン）を検出すると、応答ビーコン信号を発信して端末装置ＭＴ１に受信させる。この複合機ＭＦＤと端末装置ＭＴ１との間のビーコン信号の授受により、ビーコン信号に含ませた設定情報（使用周波数チャネル、サービスセットＩＤ等）が交換されて、使用する周波数チャネル等を相互に設定してアドホック接続を確立するためのＩＰアドレスの交換を行う。
【００３５】
すなわち、端末装置ＭＴ１が送信要求（ＲＴＳ）を複合機ＭＦＤへ送信し、複合機ＭＦＤが送信許可（ＣＴＳ）を端末装置ＭＴ１へ返信し、複合機ＭＦＤがアドホック接続を行うための自己のＩＰアドレスと端末装置ＭＴ１に割り当てたＩＰアドレスを端末装置ＭＴ１へ送信し、当該ＩＰアドレスにより端末装置ＭＴ１と複合機ＭＦＤとがアドホック接続する。なお、本例では、複合機ＭＦＤがＩＰアドレスの設定機能（ＤＨＣＰ）を有しているが、端末装置ＭＴ１が当該機能を有して複合機ＭＦＤにアドホック接続のＩＰアドレスを割り当ててもよい。
【００３６】
そして、複合機ＭＦＤと端末装置ＭＴ１との間でアドホック接続を確立して、複合機ＭＦＤが端末装置ＭＴ１から送信されたドキュメントデータをプリント出力する等のドキュメント処理を行う。
ここで、アドホックモードでの接続後、所定の時間の間に、端末装置からのアドホック接続要求（起動ビーコン）がなければ、複合機ＭＦＤは再度インフラモードに復帰する。すなわち、アドホック接続要求があればこれに応じてアドホックモードの時間が長くなり、アドホック通信のトラフィック量に応じてアドホック用モードの時間配分が調整される。
なお、端末装置ＭＴ１が送信するジョブデータにジョブ終了フラグを含めておき、複合機ＭＦＤが終了フラグを検出下したところでインフラモードに復帰するようにしてもよい。
【００３７】
上記の例では、複合機ＭＦＤが、アドホック要求信号（起動ビーコン）をスキャン検出するが、周辺の装置が発信しているビーコン信号も同時に取り込み、これら周辺装置が使用している周波数帯域をモニタして、当該周波数帯域以外の周波数帯を端末装置ＭＴ１との通信に使用するようにするのが好ましい。
すなわち、既に使用されている周波数チャネルが有る場合は、複合機ＭＦＤが次回通信に使用する周波数チャンネルを当該既使用チャネル以外のチャネルに設定し、当該チャネル情報を自己が発信する検索用ビーコン信号に含めてブロードキャスト送信により端末装置に通知する。なお、アドホックモード通信時等の任意の時期に、周辺装置が使用している周波数チャネルが複合機ＭＦＤの使用チャンネルと一致している時は空いているチャンネルに都度設定して、端末装置に通知するようにしてもよい。
【図面の簡単な説明】
【００３８】
【図１】本発明の一実施例に係る無線通信システムの機能構成図である。
【図２】本発明の一実施例に係る時間配分調整を説明する図である。
【図３】本発明の一例に係る処理手順を説明する図である。
【図４】本発明の他の一例に係る処理手順を説明する図である。
【図５】無線通信システムの一例を示す構成図である。
【符号の説明】
【００３９】
１：無線通信手段、  ２：通信制御手段、
１０：データ処理手段、  １１：無線通信手段、
１２：通信制御手段、  １３：ビーコン処理手段、
１４：モード切替手段、  １６：トラフィック監視手段、
１７：配分調整手段、  ＭＴ１：端末装置、
ＭＦＤ：複合機（データ処理装置）。
【図１】
2006173946.tif 000003
【図２】
2006173946.tif 000004
【図３】
2006173946.tif 000005
【図４】
2006173946.tif 000006
【図５】
2006173946.tif 000007